(57)【要約】【課題】外観デザイン性を低下させることなく、化粧パネルに帯電した静電気をグランド部へ確実に放電する。【解決手段】接続部材１０の屈曲部１２を化粧パネル５と銘板６との間に介在させ、化粧パネル５に銘板６を固定する。これにより、屈曲部１２が化粧パネル５の導電性被膜層５Ａと弾性的に接触した状態で化粧パネル５と銘板６とで挟着され、この屈曲部１２から延びる湾曲部１５がグランド部たる前面板３とに弾性的に接触し、導電性被膜層５Ａに帯電する静電気が接続部材１０から前面板３へと放電される。【選択図】図１
2007165101.tif 000002
【特許請求の範囲】
【請求項１】
表面の少なくとも一部に導電性被膜層を施して筐体の前面に配置される化粧パネルと、前記導電性被膜層の前面側に固定される銘板と、前記筐体内に設けられたグランド部と、前記導電性被膜層と前記グランド部とを電気的に接触する接続部材とを備え、前記接続部材に前記導電性被膜層と接触して前記化粧パネルと銘板とで挟着される取付部を形成するとともに、この取付部から前記化粧パネルを貫通して前記グランド部に接触させる接触部を延設したことを特徴とする帯電防止機能を備えた電子機器。
【請求項２】
前記接続部材が可撓性を備え、前記取付部として前記化粧パネルと銘板とで挟まれて弾性変形する屈曲部を形成するとともに、この屈曲部から延設した前記接触部を前記グランド部に弾性的に接触させたことを特徴とする請求項１記載の帯電防止機能を備えた電子機器。
【請求項３】
前記銘板の背面側に弾性変形した前記屈曲部を収容する凹部を形成したことを特徴とする請求項２記載の帯電防止機能を備えた電子機器。
【請求項４】
前記銘板に取付け用ボス部を一体形成し、前記化粧パネルには前記取付用ボス部と対応する取付孔を形成したことを特徴とする請求項１〜３のいずれか１項に記載の帯電防止機能を備えた電子機器。
【発明の詳細な説明】
【技術分野】
【０００１】
本発明は、ＤＶＤプレーヤ、ＣＤプレーヤなどのディスク装置やオーディオ装置あるいはテレビジョン受像機、液晶表示装置、プラズマディスプレイ装置、背面投射型映像装置等の電子機器において、筐体の前面に取り付けられる化粧パネルに帯電する静電気を放電させて電子回路などを保護するための帯電防止機能を備えた電子機器に関する。
【背景技術】
【０００２】
従来から、ＤＶＤプレーヤ、ＣＤプレーヤなどのディスク装置やオーディオ装置あるいはテレビジョン受像機、液晶表示装置、プラズマディスプレイ装置、背面投射型映像装置等の電子機器においては、意匠性を高めるために、筐体の前面に装飾用のメッキあるいはハーフミラーなどが施された化粧パネルを設ける場合がある。このようなハーフミラーとなる蒸着層やメッキ層を施した化粧パネルは、静電気が帯電しやすく、化粧パネルに帯電した静電気が内部の電子部品などに悪影響を及ぼす虞れがあった。このような化粧パネルに帯電する静電気対策として、例えば、特許文献１には、メッキ処理した化粧パネルにメッキ処理した操作部を取り付けた電子機器において、化粧パネルの背面側にて化粧パネルと操作部とを導電性材料からなるねじによって固定し、そのねじの頭部を回路基板のグランド部に接触させることによって、化粧パネルに帯電する静電気を操作部、ねじによって回路基板のグランド部に放電させた電子機器が提案されている。
【０００３】
【特許文献１】特開２００２−３６８４３６号公報
【発明の開示】
【発明が解決しようとする課題】
【０００４】
しかし、特許文献１に示す電子機器は、表面及び裏面を含んで化粧パネルを全体的にメッキ層で被覆処理し、その化粧パネルの裏面に螺着したねじによって回路基板のグランド部に放電させる構成である。このため、化粧パネルの表面側にのみに蒸着層あるいはメッキ層などを施した場合、化粧パネルの表面に施された導電被膜層にねじを螺着し、化粧パネルの背面側にてねじをグランド部に接触させる必要がある。このような方法では、外観的に化粧パネルの表面にねじが露出することから、外観的に体裁が悪くなるばかりでなく、化粧パネルの裏面に突出するねじの長さのバラツキによって、ねじがグランド部に強く突き当たったり、あるいはねじとグランド部との接触圧が弱く、化粧パネルに帯電する静電気を効果的に放電することができない、といった課題を有している。
【０００５】
本発明は上述した問題点に鑑みてなされたものであり、外観デザイン性を低下させることなく、化粧パネルに帯電した静電気をグランド部へ確実に放電することができる電子機器を提供することを第1の目的とする。また、本発明は、接続部材をグランド部に確実かつ安定的に接触させることができる電子機器を提供することを第２の目的とする。
【課題を解決するための手段】
【０００６】
請求項１の帯電防止機能を備えた電子機器は、表面の少なくとも一部に導電性被膜層を施して筐体の前面に配置される化粧パネルと、前記導電性被膜層の前面側に固定される銘板と、前記筐体内に設けられたグランド部と、前記導電性被膜層と前記グランド部とを電気的に接触する接続部材とを備え、前記接続部材に前記導電性被膜層と接触して前記化粧パネルと銘板とで挟着される取付部を形成するとともに、この取付部から前記化粧パネルを貫通して前記グランド部に接触させる接触部を延設したことを特徴とする。
【０００７】
請求項１の構成によれば、接続部材の取付部が導電性被膜層と接触した状態で化粧パネルと銘板とで挟着され、取付部から延設した接触部がグランド部に接触する。これにより、化粧パネルの導電性被膜層に帯電する静電気が接続部材からグランド部へ放電される。
【０００８】
請求項２の帯電防止機能を備えた電子機器は、請求項１記載の帯電防止機能を備えた電子機器において、前記接続部材が可撓性を備え、前記取付部として前記化粧パネルと銘板とで挟まれて弾性変形する屈曲部を形成するとともに、この屈曲部から延設した前記接触部を前記グランド部に弾性的に接触させたことを特徴とする。
【０００９】
請求項２の構成によれば、接続部材の弾性復元力によって化粧パネルと銘板とで挟まれた屈曲部が導電性被膜層と弾性的に接触するとともに、接触部がグランド部に弾性的に接触して化粧パネルの導電性被膜層に帯電する静電気が接続部材からグランド部へと確実に放電される。
【００１０】
請求項３の帯電防止機能を備えた電子機器は、請求項２記載の帯電防止機能を備えた電子機器において、前記銘板の背面側に弾性変形した前記屈曲部を収容する凹部を形成したことを特徴とする。
【００１１】
請求項３の構成によれば、化粧パネルと銘板とで挟まれた屈曲部が凹部に収容され、化粧パネルから銘板が浮き上がることはない。
【００１２】
請求項４の帯電防止機能を備えた電子機器は、請求項１〜３のいずれか１項に記載の帯電防止機能を備えた電子機器において、前記銘板に取付け用ボス部を一体形成し、前記化粧パネルには前記取付用ボス部と対応する取付孔を形成したことを特徴とする。
【００１３】
請求項４の構成によれば、銘板の取付け用ボス部を化粧パネルの取付孔に圧入して化粧パネルに銘板を固定すると、その銘板と化粧パネルとの間に接続部材の取付部が挟着され、化粧パネルに対して接続部材を固定することが可能となる。
【発明の効果】
【００１４】
請求項１の帯電防止機能を備えた電子機器によれば、表面の少なくとも一部に導電性被膜層を施して筐体の前面に配置される化粧パネルと、前記導電性被膜層の前面側に固定される銘板と、前記筐体内に設けられたグランド部と、前記導電性被膜層と前記グランド部とを電気的に接触する接続部材とを備え、前記接続部材に前記導電性被膜層と接触して前記化粧パネルと銘板とで挟着される取付部を形成するとともに、この取付部から前記化粧パネルを貫通して前記グランド部に接触させる接触部を延設したものであるから、接続部材が化粧パネルに組み付けられる銘板に隠れ、外観デザイン性を犠牲にすることなく、導電性被膜層に帯電する静電気を確実にグランド部へと放電することができる。また、化粧パネルに組み付けられる銘板を利用して接続部材を固定しているので、新たに固定用の組み付け部品を増やす必要もないから、組付部品の削減並びに組付作業も効率化する。
【００１５】
請求項２の帯電防止機能を備えた電子機器によれば、請求項１記載の帯電防止機能を備えた電子機器において、前記接続部材が可撓性を備え、前記取付部として前記化粧パネルと銘板とで挟まれて弾性変形する屈曲部を形成するとともに、この屈曲部から延設した前記接触部を前記グランド部に弾性的に接触させたものであるから、接続部材の弾性復元力によって屈曲部と接触部とを導電性被膜層とグランド部に確実に接触させることができる。
【００１６】
請求項３の帯電防止機能を備えた電子機器によれば、請求項２記載の帯電防止機能を備えた電子機器において、前記銘板の背面側に弾性変形した前記屈曲部を収容する凹部を形成したものであるから、化粧パネルと銘板とで挟まれた屈曲部が凹部に収容され、化粧パネルからの銘板の浮き上がりを防止することができる。
【００１７】
請求項４の帯電防止機能を備えた電子機器によれば、請求項１〜３のいずれか１項に記載の帯電防止機能を備えた電子機器において、前記銘板に取付け用ボス部を一体形成し、前記化粧パネルには前記取付用ボス部と対応する取付孔を形成したものであるから、銘板の取付け用ボス部によって化粧パネルに銘板を固定することで、化粧パネルに対して接続部材を簡単かつ確実に固定することができる。
【発明を実施するための最良の形態】
【００１８】
以下、本発明の具体的実施例について、添付図面を参照しながら説明する。なお、以下の実施態様は、本発明を具体化する際の一形態であって、本発明をその範囲内に限定するためのものではない。
【００１９】
図１〜図５は本発明の一実施例を示すものであり、図１は接続部材の取付け状態を示す平断面図、図２は銘板の背面図、図３は接続部材の斜視図、図４、図５は接続部材の取付け状態を示す縦断面図であり、図４は接続部材の取付け前の状態を示し、図５は接続部材の取付け後の状態を示している。本実施例では電子機器の一例として例えばディスクなどの記憶媒体を備えた記録再生装置に適用した場合について説明する。記録再生装置１の外郭を構成する筐体２は、導電性を有する金属薄板を折曲して形成されており、この筐体２の前面側には前面板３が設けられている。この前面板３と前記筐体２とはそれぞれ同電位となるように筐体２の底面から一体的に折曲形成するか又は別体の前面板３を筐体２と接触させた状態で一体的に固定され、前面板３がグランド部として機能する。
【００２０】
５は、前記前面板３と対向して筐体２の前面を覆う枠状の化粧パネルであり、プラスチックなどの合成樹脂などによって成形し、その化粧パネル５の前面には、意匠性を高めるためにメッキ層などの導電性被膜層５Ａが形成されている。また、化粧パネル５には、図示しない各種の操作スイッチや液晶などの表示部を配設した回路基板が取り付けられ、前記操作スイッチや表示部などと対応して操作ボタンや表示窓（図示せず）が形成されるとともに、製造メーカ名あるいは製品名などを示す銘板６が取り付けられている。この銘板６は、例えば合成樹脂などによって成形され、その背面側に化粧パネル５に固定するための一対の取付け用ボス部６Ａが一体に形成され、このボス部６Ａを前記化粧パネル５に形成する取付孔７に圧入または溶着あるいはフックなどの適宜手段によって固定することによって、銘板６が化粧パネル５に固定される。
【００２１】
１０は、前記化粧パネル５の導電性被膜層５Ａと前記前面板３とを電気的に接続するための接続部材である。この接続部材１０は可撓性を有する線材１１からなり、線材１１の一端に取付部として屈曲部１２を形成するとともに、その屈曲部１２から前記化粧パネル５を貫通して前面板３側へと向かって直線的に延びる直線部１３と、その直線部１３の先端から下方に向かって傾斜する傾斜部１４を延設し、その傾斜部１４の先端には、前記前面板３に接触させるための円弧状にカールさせた湾曲部１５が折曲形成されている。また、前記化粧パネル５には前記銘板６に隠れる位置に前記湾曲部１５が挿通可能な開口部１７を形成するとともに、前記銘板６の背面側には前記屈曲部１２を受け入れる凹部１８を形成している。この凹部１８に収容される前記屈曲部１２は図３に示すように、直線部１３から横方向に折曲させた上下一対のＭ字状の可撓性折曲部１２Ａ、１２Ｂと、これら可撓性折曲部１２Ａ、１２Ｂの一端を連結する立ち上がり部１２Ｃとで構成され、これら可撓性折曲部１２Ａ、１２Ｂ、立ち上がり部１２Ｃが銘板６と化粧パネル５とで挟まれ、前記凹部１８の内部に収容される。
【００２２】
以上のように構成される本実施例においては、図１及び図４に示すように、化粧パネル５に形成する開口部１７に接続部材１０の先端に形成する湾曲部１５を挿通した後、銘板６の背面に形成するボス部６Ａを化粧パネル５に形成する取付孔７に圧入または溶着あるいはフックなどの適宜手段によって固定する。これにより、図５に示すように、接続部材１０の一端に形成する屈曲部１２が銘板６と化粧パネル５とで挟まれ、屈曲部１２の可撓性折曲部１２Ａ、１２Ｂ、立ち上がり部１２Ｃが銘板６によって折り畳まれるように弾性変形した状態で凹部１８内に収容される。このため、凹部１８内に収容された可撓性折曲部１２Ａ、１２Ｂ、立ち上がり部１２Ｃの弾性復元力によって、これら可撓性折曲部１２Ａ、１２Ｂ、立ち上がり部１２Ｃが化粧パネル５の前面に形成する導電性被膜層５Ａと弾性的に接触する。また、開口部１７から貫通した接続部材１０の湾曲部１５は銘板６で押されることによって、傾斜部１４が下方に向かって屈曲し、その傾斜部１４の弾性復元力によって湾曲部１５が前面板３に弾性的に接触する。このように、接続部材１０は化粧パネル５の前面に施した導電性被膜層５Ａとグランド部たる前面板３とに弾性的に接触した状態で化粧パネル５と銘板６とで挟着されるため、化粧パネル５の導電性被膜層５Ａに帯電する静電気を接続部材１０によって前面板３へと確実に放電することができる。
【００２３】
また、接続部材１０は、化粧パネル５に取付けられた銘板６に隠れ、外観上、外部に露出することがないから、外観デザインを悪化させることなく、化粧パネル５の導電性被膜層５Ａに帯電する静電気を前面板３へと確実に放電することができる。さらに、接続部材１０を固定するためにねじなどによって止着する必要もないから、組み付け作業も簡単であるとともに、化粧パネル５に組み付けられる銘板６を利用して接続部材１０を固定しているので、接続部材１０を固定するのに新たに固定用の組み付け部品を増やす必要もないから、組付部品の削減並びに組付作業も効率化する。しかも、銘板６の背面側には、弾性変形した屈曲部１２の可撓性折曲部１２Ａ、１２Ｂ及び立ち上がり部１２Ｃを収容する凹部１８を形成することによって、化粧パネル５から銘板６が浮き上がることもないから、デザイン的にも違和感なく、スッキリと固定することができる。
【００２４】
以上、本発明の一実施例を詳述したが、本発明は前記実施例に限定されるものでなく、本発明の要旨の範囲内で種々の変形実施が可能である。例えば、前記実施例では、電子機器の一例として記録再生装置１を例示したが、記録再生装置１に限らずオーディオ装置あるいはテレビジョン受像機、液晶表示装置、プラズマディスプレイ装置、背面投射型映像装置等の各種電子機器に適用可能である。また、接続部材として線材１１を折曲して形成した例を示したが、可撓性を有する金属製薄板などの板バネやトーションバネなど要は弾性復元力によって導電性被覆層とグランド部に弾性的に接触する構造であればよい。さらに、接続部材の材質として金属製に限らず導電性を有する樹脂などによって成形してもよく、接続部材の形状、材質などは適宜選定すればよい。また、電子機器としての記録再生装置１の基本的構造やグランド部の形状あるいは構成、銘板の取付構造なども前記実施例に限定されるものではなく、適宜選定すればよい。
【図面の簡単な説明】
【００２５】
【図１】本発明の一実施例を示す接続部材の取付け状態を示す平断面図である。
【図２】同上、銘板の背面図である。
【図３】同上、接続部材の斜視図である。
【図４】同上、接続部材の取付け前の状態を示す縦断面図である。
【図５】同上、接続部材の取付け後の状態を示す縦断面図である。
【符号の説明】
【００２６】
１  記録再生装置（電子機器）
２  筐体
３  前面板（グランド部）
５  化粧パネル
５Ａ  導電性被膜層
６  銘板
６Ａ  取付け用ボス部
７  取付孔
１０  接続部材
１１  線材
１２  屈曲部（取付部）
１５  湾曲部（接触部）
１８  凹部
【図１】
2007165101.tif 000003
【図２】
2007165101.tif 000004
【図３】
2007165101.tif 000005
【図４】
2007165101.tif 000006
【図５】
2007165101.tif 000007